(57)【要約】【課題】  キャビネット１の内部に無線通信のためのＲＦ回路５を設置してなる携帯型無線端末機において、１或いは複数のアンテナを装備するためのスペースを削減する。【解決手段】  本発明に係る携帯型無線端末機は、キャビネット１を構成する背面キャビネット半体２と前面キャビネット半体３を互いに締結するための複数本の金属製のねじ７を、ＲＦ信号ライン６を介してＲＦ回路５に接続し、該ねじ７をダイバーシティ受信などの補助的機能のためのアンテナとして利用する。【選択図】      図３
2005328112.tif 000002
【特許請求の範囲】
【請求項１】
キャビネット(１)の内部に無線通信のためのＲＦ回路(５)を設置してなる携帯型無線端末機において、キャビネット(１)に取り付けられた１或いは複数本の金属製のねじ(７)を前記ＲＦ回路(５)に接続して、該ねじ(７)をアンテナとして利用していることを特徴とする携帯型無線端末機。
【請求項２】
前記キャビネット(１)は背面キャビネット半体(２)と前面キャビネット半体(３)から構成され、前記１或いは複数本のねじ(７)は、背面キャビネット半体(２)と前面キャビネット半体(３)を互いに締結するものであって、キャビネット(１)の隅部に配置されている請求項１に記載の携帯型無線端末機。
【請求項３】
前記キャビネット(１)には、比較的高い電界強度の電波を受信又は送信するためのメインアンテナ(８)が取り付けられており、前記ねじ(７)は、比較的低い電界強度の電波を受信又は送信するために用いられる請求項１又は請求項２に記載の携帯型無線端末機。
【請求項４】
前記ねじ(７)は、ダイバーシティ受信用アンテナ、ＧＰＳ用アンテナ、ブルートゥース用アンテナ、又はＦＭ放送受信用アンテナとして用いられる請求項１乃至請求項３の何れかに記載の携帯型無線端末機。
【発明の詳細な説明】
【技術分野】
【０００１】
本発明は、携帯電話機の如く、キャビネットの内部に無線通信のためのＲＦ回路を設置してなる携帯型無線端末機に関するものである。
【背景技術】
【０００２】
携帯電話機においては、キャビネットの内部に無線通信のためのＲＦ回路が設置され、キャビネットに突設したアンテナをＲＦ回路に接続して、基地局との無線通信を可能としている。
近年、携帯電話機においては益々多機能化が進んでおり、例えば、ＧＰＳ機能、ブルートゥース機能、ＦＭ放送受信機能などを搭載したものが開発されている。又、電波状態の不安定な場所においても良好な受信感度を得るべく、ダイバーシティ受信の機能を有する携帯電話機が開発されている(特許文献１参照)。
【特許文献１】特開平１１−１５０４９６号公報［H04B7/08］
【発明の開示】
【発明が解決しようとする課題】
【０００３】
しかしながら、上述の如く種々の補助的機能を有する携帯電話機においては、通常の電話通信のためのアンテナの他に、その補助的機能を実現するためのアンテナを装備する必要があり、キャビネットの薄型化、小型化が進む中で、複数のアンテナを装備するためのスペースを確保することが極めて困難な状況となっている。
【０００４】
そこで本発明の目的は、１或いは複数のアンテナを装備するためのスペースを削減することが可能な携帯型無線端末機を提供することである。
【課題を解決するための手段】
【０００５】
本発明に係る携帯型無線端末機は、キャビネット(１)の内部に無線通信のためのＲＦ回路(５)を設置して構成され、キャビネット(１)に取り付けられた１或いは複数本の金属製のねじ(７)を前記ＲＦ回路(５)に接続して、該ねじ(７)をアンテナとして利用していることを特徴とする。
【０００６】
上記本発明の携帯型無線端末機においては、キャビネットの組立、回路基板の固定、各種電子部品の取り付け等に用いられている１或いは複数本のねじ(７)がアンテナの機能を発揮するので、該ねじ(７)を、例えばダイバーシティ受信用アンテナ、ＧＰＳ用アンテナ、ブルートゥース用アンテナ、又はＦＭ放送受信用アンテナとして兼用することが出来る。
【０００７】
具体的には、前記キャビネット(１)は背面キャビネット半体(２)と前面キャビネット半体(３)から構成され、前記１或いは複数本のねじ(７)は、背面キャビネット半体(２)と前面キャビネット半体(３)を互いに締結するものであって、キャビネット(１)の隅部に配置されている。
【０００８】
該具体的構成において、キャビネット(１)の組立に用いられている複数本のねじは一般にキャビネット(１)の四隅に配置されているので、この中の１或いは複数本のねじ(７)をアンテナとして利用することにより、キャビネット(１)の中央部に配置されたねじに比べて、高い受信感度を得ることが出来る。
【０００９】
又、具体的構成において、前記キャビネット(１)には、比較的高い電界強度の電波を受信又は送信するためのメインアンテナ(８)が取り付けられており、前記ねじ(７)は、比較的低い電界強度の電波を受信又は送信するために用いられる。
この場合、メインアンテナ(８)は通常の電話通信等に用いられ、ねじ(７)は、ダイバーシティ受信用アンテナ、ＧＰＳ用アンテナ、ブルートゥース用アンテナ、又はＦＭ放送受信用アンテナ等のサブアンテナとして用いられる。
【発明の効果】
【００１０】
本発明に係る携帯型無線端末機によれば、本来の機能である締結のために用いられている１或いは複数本のねじをアンテナとして兼用することが出来るので、専用のアンテナを省略或いは本数を削減することが可能であり、これによってアンテナを装備するために必要なスペースを縮小することが出来る。
【発明を実施するための最良の形態】
【００１１】
以下、本発明を携帯電話機に実施した形態につき、図面に沿って具体的に説明する。
本発明に係る携帯電話機は、図１に示す如く、背面キャビネット半体(２)及び前面キャビネット半体(３)からなる扁平なキャビネット(１)を具え、背面キャビネット半体(２)には、電話通信用のメインアンテナ(８)が突設されている。
前面キャビネット半体(３)には、複数の操作キー(11)が配備されると共に、ディスプレイ(12)が設置されている。又、前面キャビネット半体(３)の下端部には送話部(13)が設けられると共に、前面キャビネット半体(３)の上端部には受話部(14)が設けられている。
【００１２】
キャビネット(１)を構成する背面キャビネット半体(２)と前面キャビネット半体(３)とは、図２に示す如く四隅にて４本の金属製のねじ(７)によって互いに締結されており、これら４本のねじ(７)はそれぞれ、背面キャビネット半体(２)側から前面キャビネット半体(３)側へねじ込まれている。
【００１３】
キャビネット(１)の内部には、図３に示す如く、無線通信のためのＲＦ回路(５)が回路基板(４)上に実装されており、該回路基板(４)は、前述の如くねじ(７)によって互いに締結された背面キャビネット半体(２)と前面キャビネット半体(３)の間に挟持されている。
【００１４】
回路基板(４)上には、ＲＦ回路(５)のアンテナ端子(図示省略)から１或いは複数本のねじ(７)の外周面まで伸びる１或いは複数本のＲＦ信号ライン(６)が形成されており、ＲＦ回路(５)と１或いは複数本のねじ(７)とが互いに電気的に接続されている。
これによって、１或いは複数本のねじ(７)は、前記メインアンテナ(８)に対するダイバーシティ受信用のアンテナとしての機能を発揮する。
【００１５】
図４及び図５は、長さ約１０ｍｍの１本のねじ(７)をＲＦ回路(５)に接続した場合のアンテナ性能を測定した結果を表わしている。尚、キャビネットの横幅方向をＸ軸、厚さ方向をＹ軸、長手方向をＺ軸としている。
この結果から明らかな様に、１或いは複数本のねじ(７)からなるねじアンテナは、ダイバーシティ受信用、ＧＰＳ用、ブルートゥース用、或いはＦＭ放送受信用として、充分なアンテナ性能を発揮する。
【００１６】
上述の如く本発明に係る携帯電話機によれば、キャビネット(１)を組み立てるために用いられている１或いは複数本のねじ(７)をアンテナとして兼用しているので、アンテナの本数を増やすことなく、ダイバーシティ受信等の種々の補助アンテナ機能を実現することが可能であり、これによってキャビネット(１)の更なる小型化を図ることが出来る。
【００１７】
尚、本発明の各部構成は上記実施の形態に限らず、特許請求の範囲に記載の技術的範囲内で種々の変形が可能である。例えば、図３に示す回路基板(４)上のＲＦ信号ライン(６)とねじ(７)との接続構造は、例えば前面キャビネット半体(３)にねじ(７)が螺合すべきナットを埋め込んで、該ナットとＲＦ信号ライン(６)とを互いに接続した構造など、接続を確実なものとするための種々の接続構造を採用することが出来る。
【００１８】
又、アンテナとして利用するねじ(７)は、キャビネット(１)内にスピーカやカメラ等の各種電子部品を固定するためのねじであってもよい。
更に又、本発明は、携帯電話機に限らず、ＧＰＳ、ブルートゥース、ＦＭ放送等の種々の専用携帯端末に実施することも可能である。
【図面の簡単な説明】
【００１９】
【図１】本発明に係る携帯電話機の前面を示す斜視図である。
【図２】該携帯電話機の背面を示す斜視図である。
【図３】該携帯電話機の要部を示す拡大断面図である。
【図４】アンテナ性能を表わすグラフである。
【図５】アンテナ性能を表わす図表である。
【符号の説明】
【００２０】
(１)  キャビネット
(２)  背面キャビネット半体
(３)  前面キャビネット半体
(４)  回路基板
(５)  ＲＦ回路
(６)  ＲＦ信号ライン
(７)  ねじ
【図１】
2005328112.tif 000003
【図２】
2005328112.tif 000004
【図３】
2005328112.tif 000005
【図４】
2005328112.tif 000006
【図５】
2005328112.tif 000007